(57)【要約】【課題】摘み部の回転が規制される防犯機能を、別部材を用いることなく解除状態に保持できるサムターン構造を提供する。【解決手段】サムターン構造において、揺動軸５９を中心にそれぞれの中央部が回転自在に支持され、離反した前部揺動腕６９が摘み部１５の外表面７１に突出し、前部揺動腕６９が押し込まれることにより後部揺動脚７３が揺動して内部のサムターン回転規制機構を規制解除する第１ボタン３９及び第２ボタン４１と、第１ボタン３９にスライド自在に設けられる切替部材８７と、第２ボタン４１に形成され、第１ボタン３９及び第２ボタン４１が押し込まれたときに、一方のスライド位置にスライドされた切替部材８７が係合して第１ボタン３９及び第２ボタン４１を押し込み位置に保持する係合部８９とを設けた。【選択図】  図３
2012237175.tif 000002
【特許請求の範囲】
【請求項１】
揺動軸を中心にそれぞれの中央部が回転自在に支持され、離反した前部揺動腕が摘み部の外表面に突出し、該前部揺動腕が押し込まれることにより後部揺動脚が揺動して内部のサムターン回転規制機構を規制解除する第１ボタン及び第２ボタンと、
前記第１ボタンにスライド自在に設けられる切替部材と、
前記第２ボタンに形成され、前記第１ボタン及び前記第２ボタンが押し込まれたときに、一方のスライド位置にスライドされた前記切替部材が係合して前記第１ボタン及び前記第２ボタンを押し込み位置に保持する係合部と、を具備することを特徴とするサムターン構造。
【請求項２】
請求項１記載のサムターン構造であって、
前記第１ボタンには押下方向に直交方向で延在するガイド溝が形成され、
前記切替部材が係合凸部を有して前記ガイド溝に沿ってスライド自在に設けられ、
前記係合部が係合凹部として形成され、
前記第１ボタン及び前記第２ボタンが押し込まれたときに前記係合凸部と前記係合凹部が嵌合可能に対向配置されることを特徴とするサムターン構造。
【請求項３】
請求項１または２に記載のサムターン構造であって、
前記第１ボタンと前記切替部材とには該切替部材を一方のスライド位置と他方のスライド位置に移動付勢するクリック部材が設けられていることを特徴とするサムターン構造。
【請求項４】
請求項１〜３のいずれか１つに記載のサムターン構造であって、
摘み部周縁にキャップが装着され、
前記キャップが蓄光材料を含んで発光可能に形成されていることを特徴とするサムターン構造。
【発明の詳細な説明】
【技術分野】
【０００１】
本発明は、摘み部の回転を規制することで錠機構部に対する不正な解錠操作を阻止するサムターン構造に関する。
【背景技術】
【０００２】
玄関扉等に設けられる錠箱は、扉木口から進退させたデッドボルトを扉枠に係合・係合解除させて、扉を施解錠する施解錠機構を内蔵する。錠箱のデッドボルトは、屋外側からはシリンダー錠によって、屋内側からはサムターンによって簡便な施解錠操作が可能となる。ところが、近年、ポスト口や、機械工具によって開けた小さな穴から棒や針金等を挿入し、回転操作の容易なサムターンに係止して回転させ、施錠装置を解錠する不正解錠が増えている。このようなサムターンに針金等を係止して回転させることを防止するものに例えば下記特許文献１に開示されるサムターン用防犯カバーがある。
【０００３】
この防犯カバーは、サムターン嵌入孔が形成されるとともに、回転時に円状軌跡を描くサムターンの外面を覆う部分が、円状軌跡に沿う円形状に形成されている。そして、嵌入孔内に螺入してサムターンの側面に当接し、両側から挟持するセットスクリューが設けられる。この防犯カバーは、嵌入孔にサムターンを挿入し、サムターンに防犯カバーを覆うように被せ、その後セットスクリューを螺入させて締め付けることで、サムターンに固定する。従って、サムターンに被せた防犯カバーによって、針金等を係止させて回転させることが難しくなる。
【０００４】
上記した従来の防犯カバーは、外形が円筒体形状であるため、手指によって板状の摘みを挟み持つ従来の摘み操作が行えず、操作性が低下した。このような事情から、摘み部にボタンを設け、外部からの不正な操作を困難にした防犯サムターンが提案された。この防犯サムターンによれば、一対のボタンを同時に押下しながらの回転力が摘み部に加えられなければ、摘み部による操作が行えず、これにより、挿入した針金や棒等を摘みに引っ掛ける等して、摘み部を回転することによる不正解錠を阻止できた。
【先行技術文献】
【特許文献】
【０００５】
【特許文献１】実公平４−４０３６２号公報
【特許文献２】特許第４４３０４６５号公報
【発明の概要】
【発明が解決しようとする課題】
【０００６】
しかしながら、上記したボタンを備える防犯サムターンは、一対のボタンを同時に押し込む操作が必須となり、例えば、一時的に居住しない状態で屋内の内装工事等頻繁に人が出入りする場合にはその正規な操作が煩雑となった。そのため、ボタン付の防犯サムターンに対し、ボタンを無効とする防犯サムターン用キャップを被せる構造が提案された（特許文献２参照）。この防犯サムターン用キャップを用いれば、解錠操作にて使用されるボタンの操作を、その使用状況に応じて、必須としない状態に変更できる。ところが、防犯サムターン用キャップは、サムターンとは別部材であるため、使用状況に応じて着脱する手間が煩雑であった。また、不使用時に脱着した場合の保管も煩雑であり、紛失する虞もあった。
【０００７】
本発明は上記状況に鑑みてなされたもので、その目的は、摘み部の回転が規制される防犯機能を、別部材を用いることなく解除状態に保持できるサムターン構造を提供することにある。
【課題を解決するための手段】
【０００８】
次に、上記の課題を解決するための手段を、実施の形態に対応する図面を参照して説明する。
本発明の請求項１記載のサムターン構造は、揺動軸５９を中心にそれぞれの中央部が回転自在に支持され、離反した前部揺動腕６９が摘み部１５の外表面７１に突出し、該前部揺動腕６９が押し込まれることにより後部揺動脚７３が揺動して内部のサムターン回転規制機構を規制解除する第１ボタン３９及び第２ボタン４１と、
前記第１ボタン３９にスライド自在に設けられる切替部材８７と、
前記第２ボタン４１に形成され、前記第１ボタン３９及び前記第２ボタン４１が押し込まれたときに、一方のスライド位置９１にスライドされた前記切替部材８７が係合して前記第１ボタン３９及び前記第２ボタン４１を押し込み位置に保持する係合部８９と、
を具備することを特徴とする。
【０００９】
このサムターン構造では、第１ボタン３９及び第２ボタン４１が摘み部１５の外表面７１から突出した状態では、サムターン回転規制機構が作動し、サムターン１１による解錠操作が行えない状態となっている。第１ボタン３９及び第２ボタン４１が押し込まれると、サムターン回転規制機構による規制が解除される。この第１ボタン３９及び第２ボタン４１を押し込んだ状態において、第１ボタン３９に設けられた切替部材８７が一方のスライド位置９１までスライドされると、第１ボタン３９及び第２ボタン４１が押し込まれた状態に保持される。これにより、サムターン回転規制機構が、規制解除された状態に保持されることになる。すなわち、第１ボタン３９及び第２ボタン４１の押し込み操作とは関係なく、サムターン１１のみの回転操作によって、通常と同様に施解錠操作が可能となる。
【００１０】
本発明の請求項２記載のサムターン構造は、請求項１記載のサムターン構造であって、
前記第１ボタン３９には押下方向に直交方向で延在するガイド溝９３が形成され、
前記切替部材８７が係合凸部９５を有して前記ガイド溝９３に沿ってスライド自在に設けられ、
前記係合部８９が係合凹部９７として形成され、
前記第１ボタン３９及び前記第２ボタン４１が押し込まれたときに前記係合凸部９５と前記係合凹部９７が嵌合可能に対向配置されることを特徴とする。
【００１１】
このサムターン構造では、第１ボタン３９及び第２ボタン４１が押し込まれると、双方が揺動軸５９を中心に回転し、相対位置が押し込み前と異なる。この押し込み後の相対位置では、第１ボタン３９のガイド溝９３に設けられた切替部材８７の係合凸部９５が、第２ボタン４１に設けられた係合凹部９７に、嵌合可能に対向配置される。この嵌合可能な状態から、切替部材８７がガイド溝９３によって一方のスライド位置９１にスライドされると、切替部材８７の係合凸部９５が係合凹部９７に嵌合する。これにより、第１ボタン３９と第２ボタン４１とが相対的に変位不能に固定される。つまり、第１ボタン３９及び第２ボタン４１が摘み部１５の外表面４７に対して押し込まれた状態に保持される。また、切替部材８７が他方のスライド位置９１にスライドされれば、係合凸部９５が係合凹部９７から抜け、第１ボタン３９及び第２ボタン４１はボタン付勢バネ７５によって再び摘み部１５の外表面７１に突出した状態に復帰する。
【００１２】
本発明の請求項３記載のサムターン構造は、請求項１または２に記載のサムターン構造であって、
前記第１ボタン３９と前記切替部材８７とには該切替部材８７を一方のスライド位置９１と他方のスライド位置９１に移動付勢するクリック部材９９が設けられていることを特徴とする。
【００１３】
このサムターン構造では、切替部材８７が一方のスライド位置９１と他方のスライド位置９１に移動される毎に、クリック部材９９によってクリック感が生じる。
【００１４】
本発明の請求項４記載のサムターン構造は、請求項１〜３のいずれか１つに記載のサムターン構造であって、
摘み部周縁８１にキャップ５１が装着され、
前記キャップ５１が蓄光材料を含んで発光可能に形成されていることを特徴とする。
【００１５】
このサムターン構造では、暗くなっても切替部材８７が発光し、一般的に小形に形成される摘み部１５の配設位置やサムターン自体の向きの判別が容易となる。
【発明の効果】
【００１６】
本発明に係る請求項１記載のサムターン構造によれば、特定の使用状態においては、摘み部の回転が規制される防犯機能を、別部材を用いることなく解除状態に保持できる。この結果、別部材であるキャップ等の保管や、サムターン操作毎の防犯機能解除等、煩雑な管理や操作をなくすことができる。
【００１７】
本発明に係る請求項２記載のサムターン構造によれば、第１ボタン自身に切替部材を設けることができ、切替部材と第１ボタンとを同時に押し込んで、切替部材をスライドでき、防犯機能の解除操作及び復帰操作を容易にできる。
【００１８】
本発明に係る請求項３記載のサムターン構造によれば、サムターン回転規制機構の規制状態、または規制解除状態への切替部材の良好な操作感がクリック部材にて得られ、操作性が向上するとともに不完全な操作を防止できる。
【００１９】
本発明に係る請求項４記載のサムターン構造によれば、夜間などの暗い場所における切替部材の視認性を向上させ、操作を容易にできる。
【図面の簡単な説明】
【００２０】
【図１】本発明に係るサムターン構造を有したサムターンの斜視図である。
【図２】図１に示したサムターンの一部分を切り欠いた平面図である。
【図３】図１に示したサムターンの分解斜視図である。
【図４】図１に示したサムターンの一部分を切り欠いた側面図である。
【図５】（ａ）は第１ボタン及び第２ボタンが押し込まれる前の要部拡大図、（ｂ）は第１ボタン及び第２ボタンが押し込まれた後の要部拡大図、（ｃ）は切替部材が一方のスライド位置へスライドされた要部拡大図である。
【図６】（ａ）は第２ボタンに係合凸部が設けられた変形例の分解斜視図、（ｂ）は第２ボタンに逆Ｔ状の係合凹部が形成された変形例の分解斜視図である。
【発明を実施するための形態】
【００２１】
以下、本発明に係る実施形態を図面を参照して説明する。
図１は本発明に係るサムターン構造を有したサムターンの斜視図、図２は図１に示したサムターンの一部分を切り欠いた平面図、図３は図１に示したサムターンの分解斜視図、図４は図１に示したサムターンの一部分を切り欠いた側面図である。
本実施形態に係るサムターン構造を備えるサムターン１１の取付けられる扉１３には、図示しない錠箱が設けられる。錠箱は、ラッチボルト、デッドボルト、及びこれらを扉１３の木口から進退させる錠機構部を内設している。錠箱のデッドボルトは、扉１３の屋外側の面に設けたシリンダー錠を合鍵によって、または扉１３の屋内側の面に設けられたサムターン摘み部（以下、単に「摘み部」と称す）１５を回転することによって扉１３の木口から進退可能となっている。サムターン１１は、後述のサムターン回転規制機構によって、摘み操作を有効または不能にするよう作動する。
【００２２】
扉１３または錠箱にはサムターン１１を構成する固定筒１７が固定される。固定筒１７の軸線方向一端側の外周には一対の固定部１９が突設され、固定部１９は固定穴２１を有している。固定筒１７は、扉内に設けられた錠箱に、これら固定穴２１を介して固定される。
【００２３】
固定筒１７の先端にはスペーサリング２３が外挿され、その外周には中央穴を有した飾り筒２５が被せられて固定される。この飾り筒２５の外周側先端部には、先端が平坦な円錐形状の化粧リング２７が外装される。化粧リング２７は、後端の折曲部２９と、飾り筒２５の後端面との間に配設されたバネ３１の付勢力によって後端が扉１３の屋内面に押付けられる。
【００２４】
固定筒１７の内部にはコア軸３３が回転自在に内設される。コア軸３３には、固定筒１７の後方から突出するテールピース３５が設けられる。テールピース３５は、錠箱の図示しない錠機構部の入出力軸に連結される。
【００２５】
固定筒１７の先端側内部には、摘み部１５の取り付けられる摘み杆３７が回転自在に内設される。摘み杆３７は、後述する第１ボタン３９及び第２ボタン４１を備える。第１ボタン３９及び第２ボタン４１は、サムターン回転規制機構による摘み部１５の回転の可否を制御する。サムターン回転規制機構による規制が解除され、摘み部１５により摘み杆３７が回転すれば、上記のコア軸３３が連動して回転される。
【００２６】
摘み部１５は、図３に示す上部サムターンケース４３と下部サムターンケース４５とが摘み杆３７に固定されてなる。上部サムターンケース４３及び下部サムターンケース４５には固定板４７が形成され、固定板４７は固定用貫通穴４９を有している。また、固定板４７には後述のキャップ５１を係止するための係止壁５３が形成される。上部サムターンケース４３及び下部サムターンケース４５は、摘み杆３７を上下から挟み、それぞれの固定用貫通穴４９に挿通した固定ビス５５が摘み杆３７のネジ孔５７に螺合して摘み杆３７に固定される。摘み杆３７には、ネジ孔５７に隣接して揺動軸５９を支持する揺動軸穴６１が形成されている。
【００２７】
上部サムターンケース４３及び下部サムターンケース４５からなる摘み部１５は、輪郭形状が例えば図１及び図２に示すような略半円形状の曲線となる。これにより、針金を摘み部１５に引っ掛けようとしたり、棒を当てて押し回ししようとしても、角部がないため針金や棒が滑り易く、これら不正な回転操作力が印加され難くなっている。また、角部がなくなることで、手指によるフィット感も良好となる。本実施形態では、図１に示すように、摘み部１５の表裏面には凹み６３が形成され、より手指によるフィット感が良好となっている。
【００２８】
上部サムターンケース４３及び下部サムターンケース４５には第１ボタン収容穴６５及び第２ボタン収容穴６７が表裏面を貫通して形成されている。第１ボタン収容穴６５及び第２ボタン収容穴６７には揺動軸５９によって揺動自在となった一対の第１ボタン３９及び第２ボタン４１が収容される。第１ボタン３９及び第２ボタン４１は、揺動軸５９を中心にそれぞれの中央部が回転自在に支持される。第１ボタン３９及び第２ボタン４１は、中央部より一端側となる前部揺動腕６９が互いに離反して第１ボタン収容穴６５及び第２ボタン収容穴６７を介して摘み部１５の外表面７１に突出する。また、第１ボタン３９及び第２ボタン４１の中央部より他端側となる前部揺動腕６９の反対側が後部揺動脚７３となる。この後部揺動脚７３は、摘み杆３７を貫通して延設され、サムターン回転規制機構に連動連結される。
【００２９】
第１ボタン３９及び第２ボタン４１の間にはボタン付勢バネ７５が挟入され、ボタン付勢バネ７５は、前部揺動腕同士を離反方向へ付勢している。本実施形態では、前部揺動腕同士が、ボタン付勢バネ７５によって離反方向へ配置されることで、後部揺動脚７３が水平に並ぶようになっている（図４参照）。後部揺動脚７３が水平配置されることで、サムターン回転規制機構では、摘み部１５の回転を阻止し、コア軸３３への回転が伝達されないようになる。
【００３０】
一方、第１ボタン３９及び第２ボタン４１は、ボタン付勢バネ７５の付勢力に抗して接近方向へ押し込まれることで、後部揺動脚７３が開く（図５参照）。すなわち、これら第１ボタン３９と第２ボタン４１は、揺動軸５９を中心に鋏状に交差する。このように後部揺動脚７３が開くにより、サムターン回転規制機構では、コア軸３３への回転の伝達が可能な状態となり、摘み部１５の回転操作をコア軸３３に伝達するようになっている。つまり、第１ボタン３９及び第２ボタン４１は、押し込まれることにより内部のサムターン回転規制機構を規制解除する。
【００３１】
本実施形態では、摘み部１５が板状に形成され、第１ボタン３９が図４に示す摘み部表面７７に配置され、第２ボタン４１が摘み部裏面７９に配置される。摘み部１５が例えば円柱体等である場合に比べ、視覚、触覚によって施解錠状態や施解錠操作方向の把握が容易となる。また、摘みやすい方向が厚み方向となり、二本の手指が接することになる表裏面に第１ボタン３９及び第２ボタン４１が配置され、配置が容易となる。これにより、摘み部１５を厚み方向で摘む自然な動作で、第１ボタン３９及び第２ボタン４１を容易に操作することができる。また、摘み部１５の表裏面に凹み６３が形成されることで、両ボタン３９，４１を押し込むための十分な長さ（ストローク）が得られる。
【００３２】
図２に示すように、上部サムターンケース４３及び下部サムターンケース４５が上下から固定された摘み部周縁８１には、略Ｃ字形状の収容部８３が形成される。この収容部８３には略Ｃ字形状のキャップ５１が嵌合される。キャップ５１は、バネ性を有し、両端に形成された取付爪８５が上部サムターンケース４３及び下部サムターンケース４５の係止壁５３に係止する。
【００３３】
キャップ５１は、摘み部１５と異なる色に着色されることが好ましい。着色は、一色であってもよく、円弧方向の略中央部を境に、左右が異なる色で２色に色分けされてもよい。このような色分けを行うことで、摘み部１５が水平または垂直に姿勢された際の、上下または左右を判別し易くすることができる。
【００３４】
また、キャップ５１の着色には、蛍光塗料を用いることができ、反射光の強度を高めて視認性を向上させることができる。さらに、キャップ５１は、蓄光材料を含んで発光可能に形成されてもよい。暗くなってもキャップ５１が発光し、一般的に小形に形成される摘み部１５においても、操作部位となるキャップ５１の判別が容易となる。これにより、夜間や暗い場所におけるキャップ５１の視認性を向上させ、操作を容易にできる。
【００３５】
キャップ５１は、合成樹脂材、例えばポリカーボネート樹脂等からなる。このように合成樹脂材が用いられることで、一体成形が可能となり、バネ性を備えた精度の高いキャップ５１が、自由な形状でかつ安価に大量製造可能となる。また、成形前の樹脂材料に顔料（蛍光塗料、蓄光材料を含む）等が添加されることで着色が可能となり、塗布の場合に比べ、退色や変色のしにくい着色が可能となる。なお、キャップ５１は、合成樹脂材に代えて金属材料やその他の素材によって形成されてもよい。
【００３６】
ところで、第１ボタン３９には、スライド自在な切替部材８７が設けられている。一方、第２ボタン４１には、係合部８９が形成されている。係合部８９には、一方のスライド位置９１（図５参照）にスライドされた切替部材８７が係合する。すなわち、第１ボタン３９及び第２ボタン４１は、押し込まれたときに、一方のスライド位置９１にスライドされた切替部材８７が係合部８９に係合することで、押し込み位置に保持される。
【００３７】
第１ボタン３９には、押下方向に直交方向で長手方向に沿って延在するガイド溝９３が形成される。切替部材８７は、ガイド溝９３に沿ってスライド自在となる。切替部材８７は、一方のスライド位置９１に向かって係合凸部９５が突設されている。係合部８９は、係合凹部９７として第２ボタン４１に形成されている。第１ボタン３９及び第２ボタン４１が押し込まれたとき、係合凸部９５と係合凹部９７とは、図５（ｂ）に示すように、嵌合可能に対向配置される。
【００３８】
また、第１ボタン３９と切替部材８７とには切替部材８７を一方のスライド位置９１と他方のスライド位置９１に移動付勢及び位置保持するクリック部材９９が設けられている。クリック部材９９は、クリックボール１０１と、クリックバネ１０３と、底蓋１０５と、からなる。第１ボタン３９には図４に示すクリック部材収容穴１０７がガイド溝９３の底面に開口して穿設されている。クリック部材収容穴１０７には、クリックボール１０１、クリックバネ１０３が順に挿入された後、底蓋１０５が取り付けられる。クリック部材収容穴１０７に収容されたクリック部材９９は、クリックボール１０１の一部がガイド溝９３内に突出する。突出したクリックボール１０１は、切替部材８７の下方に凹設されたクリック凹部１０９に押しつけられる。
【００３９】
切替部材８７は、一方のスライド位置９１と他方のスライド位置９１に移動される毎に、クリック部材９９によってクリック感が生じる。これにより、サムターン回転規制機構の規制状態、または規制解除状態への切替部材８７の良好な操作感が得られ、不完全な操作を防止できる。
【００４０】
次に、上記構成を有するサムターン構造の作用を説明する。
図５（ａ）は第１ボタン３９及び第２ボタン４１が押し込まれる前の要部拡大図、（ｂ）は第１ボタン３９及び第２ボタン４１が押し込まれた後の要部拡大図、（ｃ）は切替部材８７が一方のスライド位置９１へスライドされた要部拡大図である。
上記のサムターン構造では、図５（ａ）に示す第１ボタン３９及び第２ボタン４１が突出した状態では、サムターン回転規制機構が作動し、サムターン１１による解錠操作が行えない状態となっている。図５（ｂ）に示すように、第１ボタン３９及び第２ボタン４１が同時に押し込まれると、サムターン回転規制機構による規制が解除される。
【００４１】
第１ボタン３９及び第２ボタン４１が押し込まれると、双方が揺動軸５９を中心に回転し、相対位置が押し込み前と異なる。この押し込み後の相対位置では、第１ボタン３９のガイド溝９３に設けられた切替部材８７の係合凸部９５が、第２ボタン４１に設けられた係合凹部９７に、嵌合可能に対向配置される。この嵌合可能な状態から、図５（ｃ）に示すように、切替部材８７がガイド溝９３によって一方のスライド位置９１にスライドされると、切替部材８７の係合凸部９５が係合凹部９７に嵌合する。これにより、第１ボタン３９と第２ボタン４１とが相対的に変位不能に固定される。つまり、第１ボタン３９及び第２ボタン４１がボタン付勢バネ７５の付勢力に抗して互いに接近し摘み部１５表裏面（外表面７１）に対して押し込まれた状態に保持される。
【００４２】
これにより、サムターン回転規制機構が、規制解除された状態に保持されることになる。すなわち、第１ボタン３９及び第２ボタン４１の押し込み操作とは関係なく、サムターン１１のみの回転操作によって、通常と同様に施解錠が可能となる。
また、切替部材８７が他方のスライド位置９１にスライドされれば、係合凸部９５が係合凹部９７から抜け、第１ボタン３９及び第２ボタン４１はボタン付勢バネ７５によって再び摘み部１５の外表面７１に突出した状態に復帰する。このように、サムターン構造では、第１ボタン自身に切替部材８７を設けることができる。切替部材８７と第１ボタン３９とを同時に押し込んで、切替部材８７をスライドでき、防犯機能の解除操作及び復帰操作を容易にできる。
【００４３】
また、第１ボタン３９及び第２ボタン４１を同時に押下しなければ機能しないことから、これら第１ボタン３９及び第２ボタン４１を押下して、その後に切替部材８７をスライドして係合状態とする手順が必要となることから、容易に非防犯状態へと切り替わらない。
【００４４】
従って、上記実施形態に係るサムターン構造によれば、特定の使用状態においては、摘み部１５の回転が規制される防犯機能を、従来のような別部材を用いることなく解除状態に保持できる。この結果、従来の防犯サムターン用キャップ等の保管や、サムターン操作毎の防犯機能解除等、煩雑な管理や操作をなくすことができる。また、各ボタン３９，４１の押下状態を保持したままサムターン１１を使用でき、解錠時の煩雑さが減る。さらに、工事期間中などでの使用、その他、例えば、特定の時間中に人の出入りが多いところなどにも使え、また、手指の不自由な場合など、小さなボタン３９，４１を押下する操作が困難となる際にも有用となる。また、第１ボタンのみに切替部材８７が設けられ、サムターン１１としての意匠性を損なうことがない。
【００４５】
図６は（ａ）は第２ボタン４１に係合凸部１１１が設けられた変形例の分解斜視図、（ｂ）は第２ボタン４１に逆Ｔ状の係合凹部１１３が形成された変形例の分解斜視図である。
なお、上記の実施形態で開示した係合凸部９５と係合凹部９７との凹凸の組み合わせによる係合構造は一例であり、その他の構造とすることもできる。例えば、図６（ａ）に示すように、第１ボタン１１５を挟む逆Ｕ字板１１７をスライド自在に設ける。この逆Ｕ字板１１７の先端に形成した鉤爪部１１９を、第２ボタン１２１の両側に突設した係合凸部１１１に係止可能とする。第１ボタン１１５及び第２ボタン１２１が同時に押し込まれたときに、逆Ｕ字板１１７がスライド可能となり、係合凸部１１１に係止するものである。この変形例によれば、第１ボタン１１５及び第２ボタン１２１の形状を簡素にして、製造コストを安価にできる。
【００４６】
また、図６（ｂ）に示すように、第１ボタン１２３に貫通スリット１２５を形成し、この貫通スリット１２５に、逆Ｔ字状の係止杆１２７を挿通配置する。係止杆１２７の上端にはスライドボタン１２９を固定する。係止杆１２７の下端は、第２ボタン１３１に形成した逆Ｔ字蟻溝状の係合凹部１１３にスライド自在に係合する。係止杆１２７と係合凹部１１３とは、第１ボタン１２３及び第２ボタン１３１が同時に押し込まれたときに係合するようにする。この変形例によれば、第１ボタン１２３の前部揺動腕６９に配置されるスライドボタン１２９のみが表出し、外方への突出部分が少ないので、小型化が可能となる。
【００４７】
また、上述した実施形態の摘み部１５の形状は一例であり、図例の形状に限定されるものではない。さらに、第１ボタン３９及び第２ボタン４１の位置、切替部材８７の形状及び位置は摘み部１５の形状に対応させて適宜に変更することができる。
【符号の説明】
【００４８】
１５…摘み部
３９…第１ボタン
４１…第２ボタン
５１…キャップ
５９…揺動軸
６９…前部揺動腕
７１…外表面
７３…後部揺動脚
８１…摘み部周縁
８７…切替部材
８９…係合部
９１…スライド位置
９３…ガイド溝
９５…係合凸部
９７…係合凹部
９９…クリック部材
【図１】
2012237175.tif 000003
【図２】
2012237175.tif 000004
【図３】
2012237175.tif 000005
【図４】
2012237175.tif 000006
【図５】
2012237175.tif 000007
【図６】
2012237175.tif 000008